(57)【要約】【課題】電池が逆挿入されることを確実に防止する携帯機器を低コストで提供する。【解決手段】電池２５は、略直方体形状にされている。この電池２５には、正規の方向で電池室２６に挿入された時に電池蓋２０の内面２０ａと対向する対向面２５ａに、穴３１が形成されている。この穴３１は、対向面２５ａの中心から挿入方向に対して左右方向にずらした位置に形成されている。また、電池蓋２０の内面２０ａには、穴３１と対応する位置に、突起３２が形成されている。電池２５が正規の向きで挿入された場合、電池蓋２０を閉じ位置に向けて回動させると、突起３２が穴３１内に入り込んで閉じ位置まで回動可能であり、正規の向き以外で挿入された場合、穴３１以外の部分に突起３２が当接して電池蓋２０を閉じ位置まで回動させることができない。【選択図】図３
2008186629.tif 000002
【特許請求の範囲】
【請求項１】
挿入方向に対して垂直な断面形状が点対称な形状を有する電池を収納する電池室と、この電池室を遮蔽する閉じ位置と前記電池室を露呈させる開放位置との間で回動自在な電池蓋とを備えた携帯機器において、
前記電池が正規の向きで前記電池室に挿入された時に前記電池蓋の内面と対向する前記電池の対向面に形成された凹部に挿入され、前記電池が前記正規の向き以外で前記電池室に挿入された時に、前記凹部以外の前記電池の外周面と当接する凸部を前記電池の内面に設けたことを特徴とする携帯機器。
【請求項２】
前記凹部は、前記電池の対向面の中心からずらした位置に形成され、前記凸部は、前記凹部に対応する位置に設けられていることを特徴とする請求項１に記載の携帯機器。
【請求項３】
前記凸部は、機器本体の回路と電気的に接続された電源端子であり、前記電池蓋が前記閉じ位置に移動された時に、前記凹部に形成された電極と接触して導通することを特徴とする請求項１または２に記載の携帯機器。
【請求項４】
前記凸部を設けることによって形成されたスペース内に、三脚用のネジ穴を形成したことを特徴とする請求項１ないし３のいずれかに記載の携帯機器。
【請求項５】
前記凸部を設けることによって形成されたスペースに、マイクまたはスピーカを収納したことを特徴とする請求項１ないし３のいずれかに記載の携帯機器。
【請求項６】
挿入方向に対して垂直な断面形状が点対称な形状を有する電池を収納する電池室と、この電池室を遮蔽する閉じ位置と前記電池室を露呈させる開放位置との間で回動自在な電池蓋とを備えた携帯機器において、
前記電池蓋の内面に一端部が支持され、他端部が前記内面の回動端側に近接する近接位置と離間する離間位置との間で揺動自在、且つ前記離間位置に向けて付勢された揺動部材を備え、
前記電池が正規の向きに対して左右反対で前記電池室に挿入された時に、前記内面と対向する前記電池の対向面に形成された段差部と前記他端部とが当接して前記電池蓋の回動が阻止されることを特徴とする携帯機器。
【請求項７】
前記揺動部材は板バネであり、この板バネの一端部が前記内面に固定されていることを特徴とする請求項６記載の携帯機器。
【発明の詳細な説明】
【技術分野】
【０００１】
本発明は、電池が正規の向き以外で電池室内に挿入されることを防止する携帯機器に関する。
【背景技術】
【０００２】
従来、携帯機器は電池を電源として駆動されるため、この電池を収納する電池室を備えている。この電池室には、電池の電極と電気的に接続される電源端子が設けられており、これらの電源端子を介して機器本体内の各部へ給電される。
【０００３】
また、電池としては二次電池が用いられることが多く、この二次電池は多様な形状が採用され、電池室の内部形状も二次電池の形状に合わせたものにされている。ところが、電池の断面形状が上下左右同じ形状のものがあり、電池を正規の向きに対して左右反対にして電池室に挿入したり、正規の向きに対して前後反対にして電池室に挿入したりしてしまうことがある。
【０００４】
このように、電池を誤った向きで電池室に挿入すると、電池の電極が電池室の電源端子と電気的に接続されないため、機器本体内に給電されない。また、このように電池を誤挿入して、無理に電池室の蓋を閉めると、電池室や、電源端子や、電池自体を破損させてしまうという問題があった。
【０００５】
このような問題を解決するために、電池室にスライド自在に取り付けられる電池蓋に、電池が正規の方向で挿入された時に適応する高さにリブを設けることによって、電池の誤挿入を防止したものが知られている（例えば、特許文献１参照）。また、電池室への電池の挿入方向を検知して、正規の向きでない時に電池が電池室の奥まで挿入されることを阻止するものが知られている（例えば、特許文献２参照）。さらに、電池の断面形状を略平行四辺形にし、電池室を電池形状に合わせた形状にすることによって電池の誤挿入を防止するものが知られている（例えば、特許文献３参照）。
【特許文献１】特開平７−２１７５８号公報
【特許文献２】特開２００６−４０７９３号公報
【特許文献３】特開２００２−９３３９４号公報
【発明の開示】
【発明が解決しようとする課題】
【０００６】
しかしながら、特許文献１に記載されているように、電池が正規の方向で挿入された時に適応する高さにリブを設ける場合、電池蓋をスライドさせて閉めることによって、電池を押さえる構成のため、電池が電池室内に押し込まれている場合には、誤挿入でも電池蓋が閉まってしまう可能性があり、逆挿入の防止効果が得られないという問題があった。また、上記特許文献２に記載されているように、電池の挿入方向を検知して誤挿入を阻止する場合、機構が複雑となり製造コストが高くなるという問題があった。さらに、上記特許文献３に記載されているように電池を平行四辺形等の特殊な形状にすると製造コストが高くなるという問題があった。
【０００７】
本発明は、上記事情に鑑みてなされたものであり、電池の逆挿入を確実に防止することが可能な携帯機器を低コストで提供する。
【課題を解決するための手段】
【０００８】
上記課題を解決するために、本発明の携帯機器は、挿入方向に対して垂直な断面形状が点対称な形状を有する電池を収納する電池室と、この電池室を遮蔽する閉じ位置と前記電池室を露呈させる開放位置との間で回動自在な電池蓋とを備えた携帯機器であり、前記電池が正規の向きで前記電池室に挿入された時に前記電池蓋の内面と対向する前記電池の対向面に形成された凹部に挿入され、前記電池が前記正規の向き以外で前記電池室に挿入された時に、前記凹部以外の前記電池の外周面と当接する凸部を前記電池の内面に設けたことを特徴とするものである。
【０００９】
また、前記凹部は、前記電池の対向面の中心からずらした位置に形成され、前記凸部は、前記凹部に対応する位置に設けられていることが好ましい。
【００１０】
さらに、前記凸部は、機器本体の回路と電気的に接続された電源端子であり、前記電池蓋が前記閉じ位置に移動された時に、前記凹部に形成された電極と接触して導通することが好ましい。
【００１１】
また、前記凸部を設けることによって形成されたスペース内に、三脚用のネジ穴を形成しても良い。さらに、前記凸部を設けることによって形成されたスペースに、マイクまたはスピーカを収納しても良い。
【００１２】
また、本発明の携帯機器は、挿入方向に対して垂直な断面形状が点対称な形状を有する電池を収納する電池室と、この電池室を遮蔽する閉じ位置と前記電池室を露呈させる開放位置との間で回動自在な電池蓋とを備えた携帯機器であり、前記電池蓋の内面に一端部が支持され、他端部が前記内面の回動端側に近接する近接位置と離間する離間位置との間で揺動自在、且つ前記離間位置に向けて付勢された揺動部材を備え、前記電池が正規の向きに対して左右反対で前記電池室に挿入された時に、前記内面と対向する前記電池の対向面に形成された段差部と前記他端部とが当接して前記電池蓋の回動が阻止されることを特徴とするものである。
【００１３】
また、前記揺動部材は板バネであり、この板バネの一端部が前記内面に固定されていることが好ましい。
【発明の効果】
【００１４】
本発明の携帯機器によれば、電池蓋が閉じ位置に向けて回動された時に、電池が正規の向きで電池室に挿入された状態でのみ、凸部が凹部に入り込んで電池蓋が閉じ位置へ回動することが許容される。これにより、電池が正規以外の向きで挿入された状態では電池蓋の回動が阻止されて、ユーザが電池を逆挿入したことを認識できる。
【００１５】
また、凸部として電源端子を設けることによって、電池室側に電源端子を設ける場合よりも、携帯機器本体を小型化することが可能である。さらに、凸部を設けることによって形成されたスペースに三脚用のネジ穴を形成するので、三脚用のネジ穴を携帯機器本体の別の場所に設ける場合よりも、携帯機器本体を小型化することが可能である。また、凸部を設けることによって形成されたスペースに、マイクまたはスピーカを設けることによって、同様に携帯機器本体を小型化することができる。
【００１６】
本発明の携帯機器によれば、電池の挿入方向が正規の挿入方向に対して左右逆向きの場合、電池蓋が閉じ位置へ向けて回動された時に、揺動部材の他端部が段差部と当接して電池蓋の回動が阻止されるため、ユーザが電池を逆挿入したことを認識できる。
【００１７】
また、揺動部材として板バネを設けることによって、電池蓋を閉じ位置から開放位置に向けて回動させるときに、板バネの付勢力によって電池蓋が跳ね上がるため、開放操作が容易である。
【発明を実施するための最良の形態】
【００１８】
図１に示すデジタルカメラは、カメラ本体１１の前面に、撮影レンズ１２を有するレンズ鏡筒１３と、ストロボ発光部１４とを備えている。また、カメラ本体１１の上面には、撮影時に押圧操作されるシャッタボタン１５が設けられている。さらに、カメラ本体１１の背面には、各種設定を行う際に操作される操作部（図示せず）と、画像やメニュー画面等を表示する表示部（図示せず）とが設けられている。
【００１９】
また、図２に示すように、カメラ本体１１の下面には、電池蓋２０が設けられている。この電池蓋２０は、カメラ本体１１の下面に形成された開口２１を遮蔽する閉じ位置と、この開口２１を露呈させる開放位置との間で、回転軸（図３参照）３３を中心として回動自在にされている。この開口２１内には、電池２５を収納する電池室２６と、記憶媒体であるメモリカード２７を収納するメモリカード収納部２８とが設けられている。電池蓋２０が開放位置に移動された時に、電池室２６及びメモリ収納部２８が露呈される。
【００２０】
最初に、電池逆挿入防止構造の第１の実施形態について説明する。電池２５は、略直方体形状にされている。この電池２５が正規の方向（図３（Ａ）に示す挿入方向）で電池室２６に挿入され、電池蓋２０が閉じ位置に移動された時に、電池蓋２０の内面と対向する対向面２５ａには、凹部である穴３１が形成されている。この穴３１は、図３に示すように、電池２５の挿入方向に対して、対向面２５ａの中心から左右方向にずらした位置に形成されている。
【００２１】
この電池２５は、対向面２５ａと反対の面２５ｂ側に、正負の電極である端子３５ａ，３５ｂを備えている。各端子３５ａ，３５ｂは、電池２５が正規の方向で挿入された時に、電池室２６に設けられた電源端子２９ａ，２９ｂの各々と当接して導通する。これにより、端子３５ａ，３５ｂ及び電源端子２８ａ，２８ｂを介して、電池２５からカメラ本体１１内の各部に給電が行われる。
【００２２】
また、電池蓋２０の内面（対向面２５ａと対向する対向面）２０ａには、前述の穴３１と対応する位置に、凸部である突起３２が形成されている。電池逆挿入防止構造は、穴３１と、突起３２とで構成されている。穴３１及び突起３２は、突起３２が穴３１に挿入可能な形状であれば良く、例えば、直方体形状や、円柱形状等にされている。
【００２３】
次に、この電池逆挿入防止構造の作用について説明する。図３（Ａ）に示すように、電池２５を正規の方向で電池室２６に挿入した後、電池蓋２０が、回転軸３３を中心として、開放位置（図３（Ａ）に示す位置）から閉じ位置（図３（Ｂ）に示す位置）に向けて回動された時に、突起３２が穴３１に挿入されるため、図３（Ｂ）に示すように、電池蓋２０が閉じ位置まで移動され、図示せぬ係止機構によって電池蓋２０がカメラ本体１１によって係止される。
【００２４】
しかし、図４（Ａ）に示すように、電池２５が正規の挿入方向に対して前後逆向きに挿入された場合、対向面２５ａが電池室２６の奥に収納される。このため、突起３２が面２５ｂに当接して、電池蓋２０が閉じ位置まで移動することができない。
【００２５】
また、図４（Ｂ）に示すように、電池２５が正規の挿入方向に対して左右逆向きに挿入された場合でも、穴３１が対向面２５ａの中心から外れた位置に形成されているために、突起３２が対向面２５ａの穴３１以外の部分に当接される。このため、電池蓋２０が閉じ位置まで移動できない。
【００２６】
このように、電池２５が正規の方向以外の向きで電池室２６に挿入されると、電池蓋２０を閉じ位置まで移動させることができないため、ユーザが電池２５の挿入方向の間違いを認識することができる。
【００２７】
上記実施形態の説明にて、凸部として突起３２を形成した場合を例に説明を行ったが、これに限るものではなく、例えば、突起３２の代わりに電源端子部を設けても良い。以下に、この場合について説明を行う。
【００２８】
図５を参照して、第２の実施形態について説明する。電池蓋４０の内面４０ａには、前述の突起３２の代わりに、２つの端子４１ａ，４１ｂで構成される電源端子部４１が設けられている。この接続端子部４１は、カメラ本体１１内の回路基板にケーブル（図示せず）で接続されている。
【００２９】
また、電池４５には、電池２５と同様に、対向面４５ａに穴４６が形成されており、この穴４６は、対向面４５ａの中心からずらした位置に配置されている。前述の電源端子部４１は、内面４０ａ上で、この穴４６に対応する位置に形成されている。また、この電池４５は、電池２５と異なり、穴４６の底面に、正負の電極である端子４７ａ，４７ｂで構成される端子部４７が設けられている。電源端子部４１及び穴４６は、電源端子４１が穴４６に挿入可能な形状であれば良く、例えば、直方体形状等にされている。
【００３０】
図５（Ａ）に示すように、電池４５を正規の方向で電池室２６に挿入した後、電池蓋４０を開放位置から閉じ位置に向けて移動させた時に、電源端子部４１が、穴４６に挿入されて、電源端子部４１と端子部４７とが当接して導通する。このため、電池蓋２０が閉じ位置まで移動されて完全に閉まるとともに、これらの端子部４１，４７を介して電池４５からカメラ本体１１内への給電が行われる。
【００３１】
しかし、図５（Ｂ）に示すように、電池４５が正規の挿入方向に対して前後逆向きに挿入された場合、対向面４５ａが電池室２６の奥に収納される。このため、電源端子部４１が対向面４５ａの反対側の面４５ｂに当接して、電池蓋４０が閉じ位置まで移動できない。
【００３２】
また、図５（Ｃ）に示すように、電池４５が正規の挿入方向に対して左右逆向きに挿入された場合でも、穴４６が対向面４５ａの中心から外れた位置に配置されているために、電源端子部４１が穴４６に挿入されずに、対向面４５ａの穴４６以外の部分に当接する。このため、電池蓋４０が閉じ位置まで移動できない。このように、電池４５が正規の方向以外の向きで電池室２６に挿入されると、電池蓋４０を閉じ位置まで移動させることができないため、ユーザが電池４５の挿入方向の間違いを認識することができる。
【００３３】
上記実施形態の説明にて、電池の対向面に設ける凹部として、穴を設けた場合を例に説明を行ったが、これに限るものではなく、例えば、電池の対向面に段差を設けて、高さの異なる２つの面を形成することによって、対向面に凹部を設けても良い。以下に、この場合について説明を行う。
【００３４】
図６を参照して、第３の実施形態について説明する。電池５０の対向面５１には、段差５２が設けられており、高さの異なる２つの面５３ａ，５３ｂが形成されている。また、面５３ｂは、面５３ａよりも低くされている。この面５３ｂが凹部に相当するものであり、対向面５１の中心からずらした位置に形成されている。
【００３５】
また、電池蓋５５の内面５５ａには、電池蓋２０と同様に、突起５６が形成されており、この突起５６は、面５３ｂに対応する位置に形成されている。さらに、この突起５６によって形成されたスペースには、三脚用のネジ穴５７が形成されている。
【００３６】
図６（Ａ）に示すように、電池５０を正規の方向で電池室２６に挿入した後、電池蓋５５を開放位置から閉じ位置に向けて移動させた時に、電池蓋５５に形成された突起５６が電池５０の面５３ｂに当接する。このため、図６（Ｂ）に示すように、電池蓋５５が閉じ位置まで移動されて完全に閉まる。
【００３７】
しかし、図６（Ｂ）に示すように、電池５０が正規の挿入方向に対して前後逆向きに挿入された場合、対向面５１が電池室２６の奥に収納される。このため、電池蓋５５の突起５６が対向面５１の反対側の面５８に当接して、電池蓋５５が閉じ位置まで移動できない。また、図６（Ｃ）に示すように、電池５０が正規の挿入方向に対して左右逆向きに挿入された場合でも、面５３ｂが対向面５１の中心から外れた位置に形成されているために、電池蓋５５の突起５６が面５３ａに当接される。このため、電池蓋５５が閉じ位置まで移動できない。
【００３８】
前述のように、電池５０が正規の向き以外の向きで電池室２６に挿入されると、電池蓋５５が閉じ位置まで移動させることができないため、ユーザが電池５０の挿入方向の間違いを認識することができる。また、突起５６によって形成されたスペースに三脚用のネジ穴を形成することによって、このネジ穴を他の部分に設けた場合と比較して、カメラ本体１１を小型化することができる。
【００３９】
上記実施形態の説明において、電池蓋に突起を設けることによって形成されたスペースを利用して、ネジ穴を設ける場合について説明したが、ネジ穴に限るものではない。以下に、ネジ穴以外のものとして、マイク、スピーカを設けた場合を例に説明する。
【００４０】
図７を参照して、第４の実施形態について説明する。電池蓋６０の内面６０ａには、突起６１が形成されており、電池５０の面５３ｂに対応する位置に配置されている。さらに、この電池蓋６０には、突起６１によって形成されたスペースを利用して、マイク６２が埋め込まれている。また、電池蓋６０が、回動軸６３を中心として閉じ位置と開放位置との間で回動自在にされている。
【００４１】
この場合も、第３の実施形態と同様に、電池５０が正規の向き以外で挿入された時に、電池蓋６０が閉じ位置に回動されることができないため、電池５０の逆挿入を防止することができる。また、マイク６２を電池蓋６０内に埋め込むことによって、マイクをカメラ本体１１内に設けた場合と比べて、カメラ本体１１を小型化することができる。
【００４２】
次に、図８を参照して第５の実施形態について説明する。電池蓋７０の内面７０ａには突起７１が形成されており、電池５０の面５３ｂに対応する位置に配置されている。この電池蓋７０には、突起７１によって形成されたスペースを利用して、スピーカ７２が埋め込まれている。また、電池蓋７０が、回動軸７３を中心として閉じ位置と開放位置との間で回動自在にされている。
【００４３】
この場合も、第３の実施形態と同様に、電池５０の逆挿入を防止することができる。また、スピーカ７２を電池蓋７０内に埋め込むことによって、スピーカをカメラ本体１１内に設けた場合と比べて、カメラ本体１１を小型化することができる。
【００４４】
次に、図９を参照して第６の実施形態について説明する。また、電池７５の対向面７６には、段差７７が設けられており、高さの異なる２つの面７８ａ，７８ｂが形成されている。また、面７８ａは、面７８ｂよりも低くされている。この電池７５は、電池５０とは左右反対の位置に端子７９ａ，７９ｂが設けられている。
【００４５】
電池蓋８０の内面８０ａには、回転軸８１を支点として揺動自在な揺動部材８２が設けられている。また、揺動部材８２の先端は、面７８ａ，７８ｂと当接した時に、引っ掛からないように、電池蓋８０の先端側に向けて屈曲されている。この揺動部材８０は、例えば、金属や樹脂等で形成されている。また、揺動部材８２は、図示せぬ付勢部材によって、内面８０ａに対して垂直となるように矢印Ａ方向に付勢されている。なお、この付勢部材としては、例えば、トグルバネ等が用いられる。
【００４６】
図９（Ａ）に示すように、電池７５が正規の向きで電池室２６に挿入された場合、電池蓋８０を閉じ位置に向けて回動させて揺動部材８２の先端が面７８ｂと当接された後、付勢部材の付勢力に抗してさらに移動させると、図９（Ｂ）に示すように、揺動部材７２が内面８０ａに向けて移動して、電池蓋８０が閉じ位置まで移動される。
【００４７】
しかし、図９（Ｃ）に示すように、電池７５を挿入方向に対して左右逆向きで電池室２６に挿入した場合、電池蓋８０を閉じ位置に向けて回動させて揺動部材８２の先端が面７８ａと当接された後、付勢部材の付勢力に抗してさらに移動させると、先端が面７８ａと摺接して段差７７まで移動する。この時、揺動部材８２の先端７７が段差と当接して引っ掛かって、電池蓋８０を閉じ位置まで回動させることができない。
【００４８】
このように、電池７５を挿入方向に対して左右逆向きで電池室２６に挿入した場合、電池蓋８０を閉じ位置まで回動させることができないため、ユーザは、電池７５が正規の向きでないことを認識できる。
【００４９】
上記第６の実施形態では、揺動部材８２を付勢部材によって付勢する場合を例に説明したが、これに限るものではなく、板バネを用いても良い。以下に、板バネを用いる場合について説明する。
【００５０】
図１０を参照して、第７の実施形態について説明する。電池蓋８５の内面８５ａには、板バネ８６が設けられている。この板バネ８６は、一端部が内面８５ａに固定されている。また、板バネ８６の他端部は、電池蓋８５の先端側に屈曲されている。
【００５１】
図１０（Ａ）に示すように、電池７５が正規の向きで電池室２６に挿入された場合、電池蓋８５を閉じ位置に向けて回動させると、板バネ８６の先端が面７８ｂと当接された後、板バネ８６の付勢力に抗してさらに移動させると、図１０（Ｂ）に示すように、板バネ８６が内面８５ａに向けて移動して、電池蓋８５が閉じ位置まで移動される。
【００５２】
しかし、図１０（Ｃ）に示すように、電池７５を挿入方向に対して左右逆向きで電池室２６に挿入した場合、電池蓋８５を閉じ位置に向けて回動させて、板バネ８６の先端が面７８ａと当接された後、板バネ８６の付勢力に抗してさらに移動させると、先端が面７８ａと摺接して段差７７まで移動する。この時、板バネ８６の先端が段差７７に引っ掛かって、電池蓋８５を閉じ位置まで回動させることができない。
【００５３】
このように、電池７５を挿入方向に対して左右逆向きで電池室２６に挿入した場合、電池蓋７０を閉じ位置まで回動させることができないため、ユーザは、電池７５が正規の向きでないことを認識できる。また、電池蓋８５が、図示せぬ係止機構によって、閉じ位置でカメラ本体１１に係止されている場合、この係止が解除された時に、電池蓋８５が板バネ８０の付勢力によって開放位置に向けて跳ね上がるので、電池蓋８５の開放操作が容易である。
【００５４】
なお、上記実施形態において、対向面の中心から挿入方向に対して左右方向にずらした位置に凹部を形成する場合を例に説明したが、これに限るものではなく、対向面の中心からずらした位置に形成されていれば良く、例えば、図１１に示す電池９０のように、対向面９０ａに上面９０ｂ側から切り欠き９１を形成することによって凹部を設けても良い。この場合も、電池蓋の内面に、切り欠き９１に対応する位置に凸部を形成すれば良い。
【００５５】
また、上記第６及び第７の実施形態において、対向面に段差を形成して、高さの異なる２つの面を形成する場合を例に説明したが、これに限るものではなく、揺動部材及び板バネの先端が引っ掛かって電池蓋の回動を阻止できるものであれば、どのような形状でも良く、例えば、揺動部材及び板バネの先端が引っ掛かるように、対向面に穴を形成しても良い。
【００５６】
なお、上記実施形態において、電池の対向面の中心からずらした位置に凹部を形成する場合を例に説明したが、これに限るものではなく、例えば、凹部の形状を電池の挿入方向に対して左右非対称な形状にしても良い。この場合、電池の内面に設ける凸部の形状を凹部の形状に対応する形状にすれば良い。
【００５７】
上記実施形態において、電池蓋をカメラ本体の下面に設ける場合を例に説明したが、これに限るものではなく、例えば、側面や背面等に設けても良い。
【００５８】
また、上記実施形態において、電池を直方体形状にした場合を例に説明したが、これに限るものではなく、挿入方向に対して垂直な断面形状が略対称な電池であれば良く、例えば、立方体形状を有する電池でも良いし、断面形状が楕円の電池でも良い。
【００５９】
さらに、上記実施形態において、本発明をデジタルカメラに適用した場合を例に説明を行ったが、これに限るものではなく、電池を電源として駆動する機器であれば本発明を適用可能である。
【図面の簡単な説明】
【００６０】
【図１】デジタルカメラの前面側の構成を示す斜視図である。
【図２】第１の実施形態の電池逆挿入防止構造を示す斜視図である。
【図３】第１の実施形態である電池逆挿入防止構造の作用を示す断面図であり、電池を正規の向きで挿入した場合を示している。
【図４】第１の実施形態である電池逆挿入防止構造の作用を示す断面図であり、電池を誤った向きで挿入された場合を示している。
【図５】第２の実施形態である電池逆挿入防止構造の構成及び作用を示す断面図であり、電池蓋に電源端子を設けた場合を示している。
【図６】第３の実施形態である電池逆挿入防止構造の構成を示す断面図であり、電池蓋に形成されたスペースを利用してネジ穴を設けた場合を示している。
【図７】第４の実施形態である電池逆挿入防止構造の構成を示す断面図であり、電池蓋に形成されたスペースを利用してマイクを設けた場合を示している。
【図８】第５の実施形態である電池逆挿入防止構造の構成を示す断面図であり、電池蓋に形成されたスペースを利用してスピーカを設けた場合を示している。
【図９】第６の実施形態の構成及び作用を示す断面図であり、電池の対向面に段差を形成し、電池蓋に揺動部材を設けて逆挿入を防止する場合を示している。
【図１０】第７の実施形態の構成及び作用を示す断面図であり、電池の対向面に段差を形成し、電池蓋に板バネを設けて逆挿入を防止する場合を示している。
【図１１】電池の変形例を示す斜視図であり、対向面の端部に切り欠きを形成した場合を示している。
【符号の説明】
【００６１】
１０  デジタルカメラ
１１  カメラ本体
２０，４０，５５  電池蓋
２５，４５，５０  電池
２６  電池室
３１，４６  穴
３２，５６  突起
４０  電池蓋
４１  電源端子部
４７  端子部
５７  ネジ穴
５１  対向面
５２  段差
５３ａ，５３ｂ  面
６２  マイク
７２  スピーカ
【図１】
2008186629.tif 000003
【図２】
2008186629.tif 000004
【図３】
2008186629.tif 000005
【図４】
2008186629.tif 000006
【図５】
2008186629.tif 000007
【図６】
2008186629.tif 000008
【図７】
2008186629.tif 000009
【図８】
2008186629.tif 000010
【図９】
2008186629.tif 000011
【図１０】
2008186629.tif 000012
【図１１】
2008186629.tif 000013